(57)【要約】【課題】この発明は、映像・音声ソースから無線伝送装置を介して伝送された映像信号に基づいて受信側で映像を再生出力するとともに、映像・音声ソースから得られた音声信号に基づいて送信側で音声を再生出力する場合に、受信側で再生出力される映像と送信側で再生出力される音声とを、時間的に位相の同期が取れた状態で再生出力することが可能となる無線伝送装置を提供することを目的とする。【解決手段】無線送信ユニットに、入力映像と時間的に位相が一致している音声信号を入力させるための手段、無線送信ユニットに入力された音声信号を、所定の遅延時間だけ遅延させるための音声信号遅延手段と、音声信号遅延手段によって遅延された音声信号を出力するための出力端子とが設けられている。【選択図】　図２
2004104658.tif 000002
【特許請求の範囲】
【請求項１】
入力映像を無線送信する無線送信ユニットと、無線送信ユニットによって送信された映像を受信する無線受信ユニットとを備えた無線伝送装置において、
無線送信ユニットに、入力映像と時間的に位相が一致している音声信号を入力させるための手段、無線送信ユニットに入力された音声信号を、所定の遅延時間だけ遅延させるための音声信号遅延手段と、音声信号遅延手段によって遅延された音声信号を出力するための出力端子とが設けられていることを特徴とする無線伝送装置。
【請求項２】
入力映像を圧縮する圧縮手段および圧縮手段によって圧縮された映像信号を無線送信する信号送信手段を有する無線送信ユニットと、無線送信ユニットによって送信された圧縮映像信号を受信する信号受信手段および信号受信手段によって受信された圧縮映像信号を伸長する伸長手段を有する無線受信ユニットとを備えた無線伝送装置において、
無線送信ユニット内の圧縮手段は、ビットレートが異なる複数種類の伝送モードを備えており、無線送信ユニットは、圧縮手段の伝送モードを操作者によって設定させるための伝送モード設定手段、圧縮手段の伝送モードを操作者によって設定された伝送モードに設定させる手段、入力映像と時間的に位相が一致している音声信号を入力させるための手段、無線送信ユニットに入力された音声信号を、操作者によって設定されている伝送モードに応じた遅延時間だけ遅延させる音声信号遅延手段、および音声信号遅延手段によって遅延された音声信号を出力するための出力端子を備えていることを特徴とする無線伝送装置。
【請求項３】
入力映像・音声信号を圧縮する圧縮手段および圧縮手段によって圧縮された映像・音声信号を無線送信する信号送信手段を有する無線送信ユニットと、無線送信ユニットによって送信された圧縮映像・音声信号を受信する信号受信手段および信号受信手段によって受信された圧縮映像・音声信号を伸長する伸長手段を有する無線受信ユニットとを備えた映像・音声無線伝送装置において、
無線送信ユニット内の圧縮手段は、ビットレートが異なる複数種類の伝送モードを備えており、無線送信ユニットは、圧縮手段の伝送モードを操作者によって設定させるための伝送モード設定手段、圧縮手段の伝送モードを操作者によって設定された伝送モードに設定させる手段、無線送信ユニットに入力された音声信号を、操作者によって設定されている伝送モードに応じた遅延時間だけ遅延させる音声信号遅延手段、および音声信号遅延手段によって遅延された音声信号を出力するための出力端子を備えていることを特徴とする映像・音声無線伝送装置。
【発明の詳細な説明】
【０００１】
【発明の属する技術分野】
この発明は、無線伝送装置に関し、例えば、液晶プロジェクタシステムに適用される映像・音声無線伝送装置に関する。
【０００２】
【従来の技術】
ケーブルレスで映像信号を伝送する場合、通常は、送信側において映像信号を圧縮してから受信側に伝送し、受信側において受信した圧縮映像信号を伸長するといったことが一般的に行なわれている。
【０００３】
図３は、液晶プロジェクタシステムに適用された従来の映像・音声無線伝送装置を示している。
【０００４】
映像・音声無線伝送装置は、無線送信ユニット１１０および無線受信ユニット１２０から構成されている。無線送信ユニット１１０は、ＭＰＥＧエンコーダ（圧縮手段）１１１および無線変換送信部（信号送信手段）１１２を備えている。無線受信ユニット１２０は、無線変換受信部（信号受信手段）１２１およびＭＰＥＧデコーダ（伸長手段）１２２を備えている。
【０００５】
映像・音声ソースであるＤＶＤドライブ１によって得られた映像信号Ｖａおよび音声信号Ａａは、無線送信ユニット１１０内のＭＰＥＧエンコーダ１１１に送られる。ＭＰＥＧエンコーダ１１１は、ＤＶＤドライブ１から送られてきた映像信号Ｖａおよび音声信号Ａａを、それぞれ圧縮する。圧縮映像信号および圧縮音声信号は、無線送信ユニット１１０内の無線変換送信部１１２に送られ、無線受信ユニット１２０に無線伝送される。
【０００６】
無線受信ユニット１２０に伝送された圧縮映像信号および圧縮音声信号は、無線受信ユニット１２０内の無線変換受信部１２１によって受信され、無線受信ユニット１２０内のＭＰＥＧデコーダ１２２に送られる。ＭＰＥＧデコーダ１２２は、無線変換受信部１２１から送られてきた圧縮映像信号および圧縮音声信号をそれぞれ伸長するとともに、得られた映像信号および音声信号を時間的な位相を同期させた状態で出力する。ＭＰＥＧデコーダ１２２から出力された映像信号Ｖｂは液晶プロジェクタ２に送られる。また、ＭＰＥＧデコーダ１２２から出力された音声信号Ａｂは、スピーカ３に送られる。
【０００７】
ＭＰＥＧデコーダ１２２から出力された映像信号Ｖｂと音声信号Ａｂとは時間的な位相が一致しており、液晶プロジェクタ２によって出力される映像とスピーカ３から出力される音声とは互いに同期がとられているので、視聴者は違和感なく映像および音声を視聴することができる。
【０００８】
ところで、映像信号および音声信号の受信側に設置されている音声再生システムの品質が低かったり、設置スペースの関係で品質の高い音声出力装置を受信側に設置できない場合がある。例えば、液晶プロジェクタが天井に吊り下げられた状態で設置される場合には、品質の高い音声出力装置を受信側に設置することは困難である。
【０００９】
このような場合には、音声は音声ソース（ＤＶＤドライブ１）から直接再生したり、送信側で再生することが考えられる。つまり、図３に示すように、ＤＶＤドライブ１によって得られた音声信号Ａａを送信側に設置されたスピーカ４に送ることにより、送信側で音声を再生出力する。
【００１０】
このようにした場合、液晶プロジェクタ２に入力する映像信号Ｖｂは、スピーカ４に送られる音声信号Ａａに比べて、伝送時の信号処理（圧縮処理および伸長処理）にかかる時間分、遅れるため、受信側で再生される映像と送信側で再生される音声との時間的な位相差によって、視聴者は違和感を感じるという問題がある。
【００１１】
【発明が解決しようとする課題】
この発明は、映像・音声ソースから無線伝送装置を介して伝送された映像信号に基づいて受信側で映像を再生出力するとともに、映像・音声ソースから得られた音声信号に基づいて送信側で音声を再生出力する場合に、受信側で再生出力される映像と送信側で再生出力される音声とを、時間的に位相の同期が取れた状態で再生出力することが可能となる無線伝送装置を提供することを目的とする。
【００１２】
また、この発明は、映像・音声ソースから映像・音声無線伝送装置を介して伝送された映像信号に基づいて受信側で映像を再生出力するとともに、映像・音声ソースから得られた音声信号に基づいて送信側で音声を再生出力する場合に、受信側で再生出力される映像と送信側で再生出力される音声とを、時間的に位相の同期が取れた状態で再生出力することが可能となる映像・音声無線伝送装置を提供することを目的とする。
【００１３】
【課題を解決するための手段】
請求項１に記載の発明は、入力映像を無線送信する無線送信ユニットと、無線送信ユニットによって送信された映像を受信する無線受信ユニットとを備えた無線伝送装置において、無線送信ユニットに、入力映像と時間的に位相が一致している音声信号を入力させるための手段、無線送信ユニットに入力された音声信号を、所定の遅延時間だけ遅延させるための音声信号遅延手段と、音声信号遅延手段によって遅延された音声信号を出力するための出力端子とが設けられていることを特徴とする。
【００１４】
請求項２に記載の発明は、入力映像を圧縮する圧縮手段および圧縮手段によって圧縮された映像信号を無線送信する信号送信手段を有する無線送信ユニットと、無線送信ユニットによって送信された圧縮映像信号を受信する信号受信手段および信号受信手段によって受信された圧縮映像信号を伸長する伸長手段を有する無線受信ユニットとを備えた無線伝送装置において、無線送信ユニット内の圧縮手段は、ビットレートが異なる複数種類の伝送モードを備えており、無線送信ユニットは、圧縮手段の伝送モードを操作者によって設定させるための伝送モード設定手段、圧縮手段の伝送モードを操作者によって設定された伝送モードに設定させる手段、入力映像と時間的に位相が一致している音声信号を入力させるための手段、無線送信ユニットに入力された音声信号を、操作者によって設定されている伝送モードに応じた遅延時間だけ遅延させる音声信号遅延手段、および音声信号遅延手段によって遅延された音声信号を出力するための出力端子を備えていることを特徴とする。
【００１５】
請求項３に記載の発明は、入力映像・音声信号を圧縮する圧縮手段および圧縮手段によって圧縮された映像・音声信号を無線送信する信号送信手段を有する無線送信ユニットと、無線送信ユニットによって送信された圧縮映像・音声信号を受信する信号受信手段および信号受信手段によって受信された圧縮映像・音声信号を伸長する伸長手段を有する無線受信ユニットとを備えた映像・音声無線伝送装置において、無線送信ユニット内の圧縮手段は、ビットレートが異なる複数種類の伝送モードを備えており、無線送信ユニットは、圧縮手段の伝送モードを操作者によって設定させるための伝送モード設定手段、圧縮手段の伝送モードを操作者によって設定された伝送モードに設定させる手段、無線送信ユニットに入力された音声信号を、操作者によって設定されている伝送モードに応じた遅延時間だけ遅延させる音声信号遅延手段、および音声信号遅延手段によって遅延された音声信号を出力するための出力端子を備えていることを特徴とする。
【００１６】
【発明の実施の形態】
以下、図面を参照して、この発明の実施の形態について説明する。
【００１７】
図１は、液晶プロジェクタシステムに適用された映像・音声無線伝送装置を示している。
【００１８】
映像・音声無線伝送装置は、無線送信ユニット１０および無線受信ユニット２０から構成されている。
【００１９】
無線送信ユニット１０の詳細が図２に示されている。映像・音声ソースであるＤＶＤドライブ１によって得られた映像信号Ｖａは、ビデオデコーダ１１を介してＭＰＥＧエンコーダ（圧縮手段）１２に送られる。ＤＶＤドライブ１によって得られた音声信号Ａａは、ＡＤ変換器（ＡＤＣ）１３および制御用マイコン１４を介して、ＭＰＥＧエンコーダ１２に送られるとともに、メモリ１５に送られる。
【００２０】
ＭＰＥＧエンコーダ１２は、ビデオデコーダ１１から送られてきた映像信号Ｖａおよび制御用マイコン１４から送られてきた音声信号Ａａを、それぞれ圧縮する。圧縮映像信号および圧縮音声信号は、無線送信ユニット１０内の無線変換送信部（信号送信手段）１６に送られ、無線受信ユニット２０に無線伝送される。
【００２１】
無線受信ユニット２０に伝送された圧縮映像信号および圧縮音声信号は、無線受信ユニット２０内の無線変換受信部（信号受信手段）２１によって受信され、無線受信ユニット２０内のＭＰＥＧデコーダ（伸長手段）２２に送られる。ＭＰＥＧデコーダ２２は、無線変換受信部２１から送られてきた圧縮映像信号および圧縮音声信号をそれぞれ伸長するとともに、得られた映像信号および音声信号の位相を同期させた形で出力する。ＭＰＥＧデコーダ２２から出力された映像信号Ｖｂは液晶プロジェクタ２に送られる。ＭＰＥＧデコーダ２２から出力された音声信号Ａｂは、スピーカ３に送られる。
【００２２】
図２に示す無線送信ユニット１０内のＭＰＥＧエンコーダ１２は、伝送モードとして、ビットレートが異なる複数種類の伝送モードを備えている。この例では、３種類（例えば、１４．４Ｍｂｐｓ、１３．５Ｍｂｐｓ，１２．０Ｍｂｐｓ）のビットレートに対応する３種類の伝送モードを備えている。
【００２３】
ＭＰＥＧエンコーダ１２の伝送モードは、操作者が操作部１７を操作することによって設定される。操作部１７によって設定された伝送モードは、制御用マイコン１４を介して、ＭＰＥＧエンコーダ１２に設定されるとともに不揮発性メモリ１８に記憶される。
【００２４】
不揮発性メモリ１８には、上記３種類の伝送モードに対応するビットレート毎に、ＤＶＤドライブ１から出力される音声信号Ａａと、無線受信ユニット２０から出力される映像信号Ｖｂとの時間的位相差（遅延時間）を記憶したテーブル（以下、伝送モード−遅延時間テーブルという）が格納されている。各伝送モード（ビットレート）毎の時間的位相差（遅延時間）は実験によって予め求められる。
【００２５】
制御用マイコン１４は、伝送モード−遅延時間テーブルに基づいて、現在設定されている伝送モード（ビットレート）に応じた遅延時間を求め、メモリ１５に書き込まれた音声信号を、求めた遅延時間だけ遅れて読み出す。メモリ１５から読み出された音声信号は、ＤＡ変換器（ＤＡＣ）１９および音声出力端子Ｐを介して、音声信号Ａｃとして出力される。ＤＡ変換器（ＤＡＣ）１９から出力された音声信号Ａｃは、無線送信ユニット側に設置されたスピーカ４に送られる。
【００２６】
無線受信ユニット２０から出力されて液晶プロジェクタ２に送られる映像信号Ｖｂと、無線送信ユニット１０から出力されてスピーカ４に送られる音声信号Ａｃとは、時間的な位相が一致するようになるので、液晶プロジェクタ２によって出力される映像とスピーカ４から出力される音声とは互いに同期がとられているため、視聴者は違和感なく映像および音声を視聴することができる。
【００２７】
【発明の効果】
この発明によれば、映像・音声ソースから無線伝送装置を介して伝送された映像信号に基づいて受信側で映像を再生出力するとともに、映像・音声ソースから得られた音声信号に基づいて送信側で音声を再生出力する場合に、受信側で再生出力される映像と送信側で再生出力される音声とを、時間的に位相の同期が取れた状態で再生出力することが可能となる。
【００２８】
また、この発明によれば、映像・音声ソースから映像・音声無線伝送装置を介して伝送された映像信号に基づいて受信側で映像を再生出力するとともに、映像・音声ソースから得られた音声信号に基づいて送信側で音声を再生出力する場合に、受信側で再生出力される映像と送信側で再生出力される音声とを、時間的に位相の同期が取れた状態で再生出力することが可能となる。
【図面の簡単な説明】
【図１】この発明の実施の形態を示し、液晶プロジェクタシステムに適用された映像・音声無線伝送装置を示すブロック図である。
【図２】図１の無線送信ユニットの構成を示すブロック図である。
【図３】液晶プロジェクタシステムに適用された従来の映像・音声無線伝送装置を示すブロック図である。
【符号の説明】
１　ＤＶＤドライブ
２　液晶プロジェクタ
３、４　スピーカ
１０　無線送信ユニット
１１　ビデオデコーダ
１２　ＭＰＥＧエンコーダ（圧縮手段）
１３　ＡＤ変換器（ＡＤＣ）
１４　制御用マイコン
１５　メモリ
１６　無線変換送信部（信号送信手段）
１７　操作部
１８　不揮発性メモリ
１９　ＤＡ変換器
Ｐ　音声出力端子
２０　無線受信ユニット
２１　無線変換受信部（信号受信手段）
２２　ＭＰＥＧデコーダ（伸長手段）
【図１】
2004104658.tif 000003
【図２】
2004104658.tif 000004
【図３】
2004104658.tif 000005